Podtech/llm-jp-corpus-v4-ja_patent huggingface dataset:
【手続補正書】
【提出日】平成16年4月13日(2004.4.13)
【手続補正１】
【補正対象書類名】明細書
【補正対象項目名】請求項１
【補正方法】変更
【補正の内容】
【請求項１】
骨に形成された穴に楔状に押し込み、縫糸を骨に固着するための移植可能な縫糸留具において、
前記縫糸留具は略四辺形の側断面を有する本体からなり、
前記本体は、
対向する両端を有する骨穴当接面と、
先端面と前記骨穴当接面が鋭角に交差することによって形成され、前記骨穴当接面の一端に位置する先端把持縁と、
後端面と前記骨穴当接面が鋭角に交差することによって形成され、前記骨穴当接面の他端であって前記先端把持縁と反対側に位置する後端把持縁と、
円弧部と実質的な直線部を有しており、前記円弧部は前記先端面と係合し、前記実質的な直線部は前記後端面と係合し、それによって前記本体は略四辺形をなし、骨内での前記先端把持縁を中心とする前記本体の回転を容易にするために前記骨穴当接面と略反対側に配置されている骨穴閉鎖面と、
を備え、
前記本体は、さらに、
前記後端把持縁に隣接する位置において前記本体を横方向に貫通するように設けられた縫糸穴と、
前記先端把持縁と前記縫糸穴との間に配置され、挿入具が設けられるとともに前記骨穴当接面に向かって延びる軸を画成している挿入穴と
を備えたことを特徴とする縫糸留具。
【手続補正２】
【補正対象書類名】明細書
【補正対象項目名】請求項１０
【補正方法】変更
【補正の内容】
【請求項１０】
縫糸留具を骨の穴に移植するための挿入装置において、
対向する両端を有する剛直な軸と、
前記軸の一端の先端部と、
とからなり、
前記先端部は、形状記憶材料で形成され、前記軸と操作可能に係合された近位端、及び縫糸留具に形成された非円形形状の挿入穴に係合された遠位端を有し、
前記先端部の前記遠位端は前記非円形形状の挿入穴の断面に対応する非円形断面を有し、前記先端部の前記遠位端が前記挿入穴に係合するために前記先端部の軸心回りの前記縫糸留具の回転を可能な限り小さくしている
ことを特徴とする、挿入装置に対して縫糸留具の回転を最小にして縫糸留具を骨の穴に移植するための挿入装置。
【手続補正３】
【補正対象書類名】明細書
【補正対象項目名】請求項１４
【補正方法】変更
【補正の内容】
【請求項１４】
縫糸を骨の穴に係留させる留具セットにおいて、
前記留具セットは
略四辺形の側断面を有する本体を備えた少なくとも１つの縫糸留具であって、前記本体は、対向する両端を有する骨穴当接面及び少なくとも１つの把持縁を有し、さらに前記本体は、横方向に貫通する縫糸穴及び前記少なくとも１つの把持縁と前記縫糸穴との間に配置され、挿入具が設けられるとともに前記骨穴当接面に向かって延びる軸を画成している挿入穴を有する縫糸留具と、
前記縫糸穴と操作可能に係合する少なくとも１つの縫糸であって、前記縫糸穴を通って骨に固着される身体組織と係合するような縫糸と、
前記縫糸留具を骨の穴に挿入させる少なくとも１つの挿入装置であって、対向する両端を有する剛直な軸と前記軸の一端に設けられた先端部からなり、前記先端部は形状記憶材料からなり、前記軸と操作可能に係合される近位端と前記挿入穴に係合される自由遠位端を有し、前記先端部の前記遠位端は前記挿入穴の断面に対応する非円形断面を有して前記先端部の前記遠位端が前記挿入穴に係合されるとき前記先端部の軸心回りの前記縫糸留具の回転を可能な限り小さくする挿入装置と
からなることを特徴とする留具セット。
【手続補正４】
【補正対象書類名】明細書
【補正対象項目名】請求項３２
【補正方法】変更
【補正の内容】
【請求項３２】
骨に形成された穴に楔状に押し込められ縫糸を骨に固着する移植可能な結び目なし縫糸留具において、
前記縫糸留具は略四辺形の側断面を有する本体からなり、
前記本体は、
対向する両端を有する骨穴当接面と、
前記骨穴当接面の一端において先端面と前記骨穴当接面が鋭角に交差することによって形成される先端把持縁と、
前記骨穴当接面の他端において後端面と前記骨穴当接面が鋭角に交差することによって形成される後端把持縁と、
円弧部と実質的な直線部を有する骨穴閉鎖面であって、前記円弧部は前記先端面と係合して前記実質的な直線部は前記後端面と係合し、それによって前記本体は略四辺形をなし、前記骨穴閉鎖面は骨内での前記先端把持縁を中心とする前記本体の回転を容易にするために前記骨穴当接面と略反対側に配置される骨穴閉鎖面と、
を備え、
前記本体はさらに
前記後端把持縁に隣接する位置において前記本体を横方向に貫通するように設けられた縫糸穴と、
前記先端把持縁と前記縫糸穴の間の位置に設けられた挿入具を受容するための挿入穴と、
前記骨穴当接面に設けられた切欠きと、
前記縫糸穴に操作可能に係合される縫糸であって、前記縫糸穴を通るループ状に形成され、骨に固着される身体組織と係合された後、前記縫糸留具が骨穴に挿入される前に前記本体の周囲に巻き付けられて前記切欠きと係合される縫糸と
を備えたことを特徴とする縫糸留具。
【手続補正５】
【補正対象書類名】明細書
【補正対象項目名】０００５
【補正方法】変更
【補正の内容】
【０００５】
楔式縫糸留具の例がバートレットに付与された米国特許第５，５４０，７１８号（特許協力協力条約による国際出願番号ＷＯ−Ａ−９５／０８２９５と一致する）、５，６２６，６１２号、５，７８２，８６３号および５，８７９，３７２号に記載されている。これらの特許は、円錐、二重円錐、および円錐と円筒の組合せからなる種々の構成に基づく楔式縫糸留具を開示している。また、本発明の譲渡人であるマイテク・サージカル・プロダクツ社に譲渡されたルスコム等に付与された米国特許第５，６８３，４１８号は、三角形から四辺形に形状が略変化する楔式縫糸留具を開示している。
【手続補正６】
【補正対象書類名】明細書
【補正対象項目名】０００９
【補正方法】変更
【補正の内容】
【０００９】
ペドリック氏他からミテック・サージカル・プロダクツ・インコーポレーテッドに譲渡された、特許協力条約による国際出願番号ＷＯ−Ａ−９７３７５９５にも、楔形の縫合材アンカーに係る発明が開示されている。この縫合材アンカーは、例えば、盲穴が取付器具の頭部を受けるために設けられている。盲穴は、”縫合材アンカーの基端面にて開口し、軸線に沿って縫合材アンカー内に末端方向に伸長する”。盲穴は、また、”取付器具の末端を受入れる取付開口部として機能する”、そして、”噛合い端部よりも当接面により近い位置に配置される”。さらに、”軸線は、当接面の長手方向軸線に対してわずかに交差する角度に設定することが好ましい”。縫合材アンカーを盲穴に挿入するとき、”縫合材アンカーのプラウ面は、最初に、穴の縁部に係合し、縫合材アンカーが回動して穴内に入るとき、軸の先端の末端を曲げる”。このように、ペドリック氏の装置には、取付器具を受けるための盲穴が設けられており、この盲穴は、縫合材アンカーが穴に挿入されるために縫合材アンカーが取付器具の頭部を曲げて使用されるように形成されている。この構成では、骨の穴に挿入する際に前記取付器具が縫合材アンカーに対して高い応力を伝達するかもしれず、および／または、前記取付器具が縫合材アンカーのシャフトの先端で回転するかもしれない。
このように、骨穴内に縫糸を効果的に係留させ、また、硬質な緻密骨から軟質な弱緻密骨にわたる広い範囲の異なった密度の骨に対して等しく良好に機能する縫糸留具が必要とされている。
【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】  ゲル状又はマクロ孔質のスルホン酸型イオン交換樹脂触媒床を収容した固定床反応器でフェノールとアセトンからビスフェノールＡを製造するためのイオン交換床において、樹脂触媒床が上部層と下部層を有し、
下部層が、上部層よりも架橋度が高く全ベッド体積の５０〜９５％を占める樹脂からなり、
全ベッド体積の５〜５０％を占める床の上部層が、低架橋度の非改質樹脂、又は、スルホン酸基の１〜３５モル％をイオン固定によりアルキル−ＳＨ含有種で封鎖した低架橋度の樹脂のいずれかからなることを改良点とする、イオン交換床。
【請求項２】  下部層が２〜４％の架橋度を有する、請求項１記載のイオン交換床。
【請求項３】  下部層が、スルホン酸基の１〜２５モル％をイオン固定によりアルキル−ＳＨ含有種で封鎖した樹脂である、請求項２記載のイオン交換床。
【請求項４】  上部層が２％以下の架橋度を有する、請求項１記載のイオン交換床。
【請求項５】  上部層が非改質樹脂である、請求項４記載のイオン交換床。
【請求項６】  上部層が、スルホン酸基の１〜２５モル％をイオン固定によりアルキル−ＳＨ含有種で封鎖した樹脂である、請求項４記載のイオン交換床。
【請求項７】  下部層が全ベッド体積の７５〜８５％を占め、上部層が全ベッド体積の１５〜２５％を占める、請求項１記載のイオン交換床。
【請求項８】  ゲル状又はマクロ孔質のスルホン酸型イオン交換樹脂を樹脂触媒床の形態で収容した固定床反応器でフェノールとアセトンからビスフェノールＡを製造する方法において、上部層と下部層を有する樹脂触媒床にフェノールとアセトンの混合物を流すに当たり、
下部層が、上部層よりも架橋度が高く全ベッド体積の７５〜８５％を占める樹脂からなり、
全ベッド体積の１５〜２５％を占める床の上部層が、低架橋度の非改質樹脂、又はスルホン酸基の１〜３５モル％をイオン固定によりアルキル−ＳＨ含有種で封鎖した低架橋度の樹脂のいずれかからなることを改良点とする、ビスフェノールＡの製造方法。
【請求項９】  下部層が２〜４％の架橋度を有する、請求項８記載の方法。
【請求項１０】  下部層のスルホン酸基の１〜２５モル％を任意にはイオン固定によりアルキル−ＳＨ含有種で封鎖している、請求項８記載の方法。
【請求項１１】  上部層が２％以下の架橋度を有する、請求項８記載の方法。
【請求項１２】  上部層が非改質樹脂である、請求項１１記載の方法。
【請求項１３】  上部層と下部層の少なくとも一方が少なくとも部分的に脱水されている、請求項１又は請求項８記載の方法。
【請求項１４】  上部層と下部層が共に少なくとも部分的に脱水されている、請求項１３記載の方法。
【請求項１５】  上部層と下部層の少なくとも一方が完全に脱水されている、請求項１３記載の方法。
【請求項１６】  上部層と下部層が共に完全に脱水されている、請求項１３記載の方法。
【手続補正書】
【提出日】平成17年4月7日(2005.4.7)
【手続補正１】
【補正対象書類名】明細書
【補正対象項目名】特許請求の範囲
【補正方法】変更
【補正の内容】
【特許請求の範囲】
【請求項１】  ボックス部(１０)と、ボックスの後部壁(１２)に回動可能な態様で連接された蓋(１１)とを有し、また、カラーの前部壁（２８）及びカラーの側部壁（２９，３０）からなるカラー（２７）を有し、蓋の前部壁(１９)は蓋下部の閉鎖エッジ部(３３)を介して区画されており、また、ボックスの前部壁(１５)は、上部の対応する閉鎖エッジ部(３４)によって区画されており、前記前部壁(１５)は、蓋(１１)が閉鎖されたとき、蓋の閉鎖エッジ部(３３)から離間されるシガレット等用のヒンジ蓋付きボックスであって、
蓋の閉鎖エッジ部(３３)および/または対応する閉鎖エッジ部(３４)は、２つの下向きのエッジ脚部(３７，３８)を備え、これらが互いに角度をなして配置され、点(４１，４２)に収束する点を特徴とするヒンジ蓋付きボックス。
【請求項２】  点(４１，４２)は、前部の中央に位置して、湾曲されている点を特徴とする請求項１に記載のヒンジ蓋付きボックス。
【請求項３】  蓋下部の閉鎖エッジ部(３３)と上部の対応する閉鎖エッジ部(３４)は、それぞれ、互いに角度をなして配置される２つの下向きの台形をなすエッジ脚部(３７，３８；３９，４０)から形成されており、
蓋の閉鎖エッジ部(３３)のエッジ脚部(３７，３８)は、対応する閉鎖エッジ部(３４)のエッジ脚部(３９，４０)よりも大きい角度をなして配向され、エッジ脚部(３７…４０)は、前記蓋(１１)が閉鎖された状態では、Ｖ字状の、すなわち、矢尻状の開口部(４３)を区画する点を特徴とする請求項１または２に記載のヒンジ蓋付きボックス。
【請求項４】  エッジ脚部(３７…４０)によって区画された開口部(４３)は、ボックスの前部壁(１５)と蓋の前部壁(１９)の全幅を越えて、特に、側面の(断面では直角の)パックのエッジ部(３５，３６)まで延出する点を特徴とする請求項１〜３のいずれか１に記載のヒンジ蓋付きボックス。
【請求項５】  ８角形のパックの場合、すなわち、傾斜したパックのエッジ部（３５，３６）を有するものの場合、あるいは、エッジが丸みを帯びたパックの場合、すなわち、丸みを帯びたパックのエッジ部（３５，３６）を有するものの場合、前記開口部（４３）は、前記パックのエッジ部（３５，３６）の内郭まで、特に、前記傾斜したパックのエッジ部（３５，３６）の内側エッジ部（５７）まで、または丸みを帯びたエッジ部用の折り曲げストリップ（５９）の内側境界まで向けられている点を特徴とする請求項１〜４のいずれか１に記載のヒンジ蓋付きボックス。
【請求項６】  前記Ｖ字形の開口部（４３）は、前記傾斜したかまたは丸みを帯びたパックのエッジ部（３５，３６）の区域へと、特に、該パックのエッジ部の側面の境界まで、すなわち、傾斜したパックのエッジ部（３５，３６）の外側エッジ部（５６）まで、または丸みを帯びたパックのエッジ部（３５，３６）の折り曲げストリップの外郭まで延出する点を特徴とする請求項１〜５のいずれか１に記載のヒンジ蓋付きボックス。
【請求項７】  前記開口部（４３）の横方向の寸法は前記ボックス前部壁（１５）または前記蓋の前部壁（１９）のそれよりも小さい点、及び、前記開口部（４３）に隣接している前記蓋の閉鎖エッジ部（３３）及び前記対応の閉鎖エッジ部（３４）は特に水平方向に延出しており、前記蓋（１１）が閉じられているとき、前記閉鎖エッジ部（３３，３４）は互いに向き合って接する点を特徴とする請求項１〜６のいずれか１に記載のヒンジ蓋付きボックス。
【請求項８】  特に、前記開口部(４３)は、一側では、真っ直ぐな、パックのエッジ部（３５）のまたは前記内側エッジ部（５７）のまたは前記折り曲げストリップ（５９）の区域で終了しており、反対側では、前記の関連したパックのエッジ部（３６）から離間して終了しているように、前記開口部（４３）は前側の区域に偏心的に配置されている点を特徴とする請求項１〜７のいずれか１に記載のヒンジ蓋付きボックス。
【請求項９】  前記カラー（２７）は、カラーの前部壁（２８）の区域に形成された切り欠き部（３１）に関して、前記蓋の閉鎖エッジ部（３３）及び前記対応の閉鎖エッジ部（３４）の輪郭に適合されており、特に、前記蓋の閉鎖エッジ部（３３）または前記対応の閉鎖エッジ部（３４）に平行に互いに関連してＶ字形に延びているエッジセクション（４７）を具備し、このエッジセクション（４７）は丸みのある点（４８）に収束しており、この点は前記閉鎖エッジ部（３３，３４）の点（４１，４２）と同一の想像線上に配置されている点を特徴とする請求項１〜８のいずれか１に記載のヒンジ蓋付きボックス。
【請求項１０】  前記蓋の前部壁（１９）の内側に設けられた、蓋の内側タブは、斜めに延びている折り曲げ線（５２）を介して前記蓋の前部壁（１９）の各エッジの脚部（３７，３８）に接続されている２つのサブ‐タブ（５０，５１）を有する点を特徴とする請求項１〜９のいずれか１に記載のヒンジ蓋付きボックス。
【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】  車両乗員保護装置用のガス発生器であって、
細長い円筒形ハウジング；
ハウジングの対向した両端それぞれの、一対の端閉塞部；
ハウジングの対向した両端の中間にあり、半径方向に延伸し、一対の別個の推進薬チャンバーを画定する仕切部材；および
ハウジングの仕切部材の対向した両側それぞれにある一対の環状クリンプであって、一方の推進薬チャンバーにおける燃焼圧力が、仕切部材の反対側にあるクリンプに対して仕切部材の全縦厚を偏重せしめ、その間の密閉および仕切部材の構造保全性を最大にする、前記一対の環状クリンプを含む、前記車両乗員保護装置用のガス発生器。
【請求項２】  請求項１に記載のガス発生器を含む、車両乗員保護システム。
【手続補正書】
【提出日】平成16年4月23日(2004.4.23)
【手続補正１】
【補正対象書類名】明細書
【補正対象項目名】特許請求の範囲
【補正方法】変更
【補正の内容】
【特許請求の範囲】
【請求項１】式：
【化１】
2002537222.tif 000001
｛式中、Ｘ1及びＸ2は同一または異なっていてもよく、それぞれ水素及びヒドロキシ−保護基からなる群から選択され、基Ｒは、構造：
【化２】
2002537222.tif 000002
［式中、炭素２０の立体化学中心はＲまたはＳ配置をもち、ＺはＹ、−ＯＹ、−ＣＨ2ＯＹ、
【化３】
2002537222.tif 000003
及び−ＣＨ＝ＣＨＹから選択され、二重結合はシスまたはトランス立体配置を持つことができ、Ｙは構造：
【化４】
2002537222.tif 000004
（式中、ｍ及びｎは独立して０〜５の整数を表し、Ｒ1及びＲ2はそれぞれ独立して、水素、重水素、重水素化アルキル、ヒドロキシ、保護化ヒドロキシ、フルオロ、トリフルオロメチル、及び直鎖または分岐鎖であってもよく、場合によりヒドロキシまたは保護化−ヒドロキシ置換基を保持し得るＣ1-5アルキルから選択され、Ｒ3及びＲ4はそれぞれ独立して、直鎖または分岐鎖であってもよく、場合によりヒドロキシまたは保護化−ヒドロキシ置換基を保持し得るＣ2-5アルキルから選択され、Ｒ1及びＲ2は一緒になってオキソ基またはアルキリデン基、＝ＣＲ2Ｒ3、または基−（ＣＨ2）p−を表し、ここでｐは２〜５の整数であり、Ｒ3及びＲ4は一緒になって−（ＣＨ2）q−を表し、ここでｑは２〜５の整数であり、Ｒ5は水素、ヒドロキシ、保護化ヒドロキシ、またはＣ1-5アルキルを表し、側鎖中の２０、２２または２３の位置のＣＨ−基のいずれかが窒素原子により置換されていてもよく、２０、２２及び２３の位置の基−ＣＨ（ＣＨ3）−、−ＣＨ2−、または−ＣＨ（Ｒ2）−のいずれかが酸素または硫黄原子により置換されていてもよい）の基から選択される］により表される｝をもつ化合物の有効量を含む、骨質量を維持し、または増やすことが望まれる代謝性骨疾患を治療するための医薬組成物。
【請求項２】前記疾患が老年性骨粗鬆症、閉経後骨粗鬆症、低骨代謝回転骨粗鬆症、ステロイド−誘発性骨粗鬆症、骨軟化症、及び腎性骨形成異常症からなる群から選択される、請求項１に記載の医薬組成物。
【請求項３】経口投与、非経口投与、または経皮投与に適している、請求項１に記載の医薬組成物。
【請求項４】前記化合物が０．１μｇ／組成物グラム〜５０μｇ／組成物グラムの量で存在する、請求項１に記載の医薬組成物。
【請求項５】前記化合物が２６，２７−ジメチル−１９−ノル−１α，２５−ジヒドロキシビタミンＤ3である、請求項１に記載の医薬組成物。
【請求項６】閉経期及び閉経後の女性、または閉経開始前の女性への投与に適している、閉経後骨粗鬆症を治療するための請求項１に記載の医薬組成物。
【請求項７】前記化合物が徐放性製剤で投与されることを特徴とする、請求項１に記載の医薬組成物。
【請求項８】前記化合物が分割量で毎日投与されることを特徴とする、請求項１に記載の医薬組成物。
【請求項９】式：
【化５】
2002537222.tif 000005
｛式中、Ｘ1及びＸ2は同一または異なっていてもよく、それぞれ水素及びヒドロキシ−保護基からなる群から選択され、基Ｒは、構造：
【化６】
2002537222.tif 000006
［式中、炭素２０の立体化学中心はＲまたはＳ配置をもち、ＺはＹ、−ＯＹ、−ＣＨ2ＯＹ、
【化７】
2002537222.tif 000007
及び−ＣＨ＝ＣＨＹから選択され、二重結合はシスまたはトランス立体配置を持つことができ、Ｙは構造：
【化８】
2002537222.tif 000008
（式中、ｍ及びｎは独立して０〜５の整数を表し、Ｒ1及びＲ2はそれぞれ独立して、水素、重水素、重水素化アルキル、ヒドロキシ、保護化ヒドロキシ、フルオロ、トリフルオロメチル、及び直鎖または分岐鎖であってもよく、場合によりヒドロキシまたは保護化−ヒドロキシ置換基を保持し得るＣ1-5アルキルから選択され、Ｒ3及びＲ4はそれぞれ独立して、直鎖または分岐鎖であってもよく、場合によりヒドロキシまたは保護化−ヒドロキシ置換基を保持し得るＣ2-5アルキルから選択され、Ｒ1及びＲ2は一緒になってオキソ基またはアルキリデン基、＝ＣＲ2Ｒ3、または基−（ＣＨ2）p−を表し、ここでｐは２〜５の整数であり、Ｒ3及びＲ4は一緒になって基−（ＣＨ2）q−を表し、ここでｑは２〜５の整数であり、Ｒ5は水素、ヒドロキシ、保護化ヒドロキシ、またはＣ1-5アルキルを表し、側鎖中の２０、２２または２３の位置のＣＨ−基のいずれかが窒素原子により置換されていてもよく、２０、２２及び２３の位置の基−ＣＨ（ＣＨ3）−、−ＣＨ2−、または−ＣＨ（Ｒ2）−のいずれかが酸素または硫黄原子により置換されていてもよい）の基から選択される］により表される｝をもつ化合物の有効量を含む、癌疾患を治療するための医薬組成物。
【請求項１０】前記疾患が白血病、大腸癌、乳癌、及び前立腺癌からなる群から選択される、請求項９に記載の医薬組成物。
【請求項１１】経口投与、非経口投与、または経皮投与に適している、請求項９に記載の医薬組成物。
【請求項１２】前記化合物が０．１μｇ／組成物グラム〜５０μｇ／組成物グラムの量で存在する、請求項９に記載の医薬組成物。
【請求項１３】１９−ノル−２６，２７−ジメチル−１α，２５−ジヒドロキシビタミンＤ3。
【請求項１４】１９−ノル−２６，２７−ジメチル−１α，２５−ジヒドロキシ−２２，２３（Ｅ）−デヒドロビタミンＤ3。
【請求項１５】１９−ノル−２０（Ｓ）−２６，２７−ジメチル−１α，２５−ジヒドロキシ−２２，２３（Ｅ）−デヒドロビタミンＤ3。
【手続補正書】
【提出日】平成16年1月8日(2004.1.8)
【手続補正１】
【補正対象書類名】明細書
【補正対象項目名】特許請求の範囲
【補正方法】変更
【補正の内容】
【特許請求の範囲】
【請求項１】
ａ）recEおよびrecT遺伝子を発現する能力を有し、かつ、recETに依存する機構を介して相同組換えを実行する能力を有する原核宿主細胞を準備する工程、
ｂ）該宿主細胞中で複製され得る環状である第１DNA分子と、第１DNA分子上の領域と配列相同な領域を少なくとも２個含む第２DNA分子とを、recETに依存する機構を介する第１および第２DNA分子間の相同組換えに好適な条件下で、該宿主細胞中で接触させる工程、ならびに
ｃ）該第１および第２DNA分子間の相同組換えが生じた宿主細胞を選択する工程、
を含み、
第２DNA分子はさらなる改変を行うことなく組換えを可能にする形態で宿主細胞中に導入される、原核細胞中でDNA分子をクローニングする方法。
【請求項２】
recEおよび／またはrecT遺伝子の発現が調節性プロモーターの制御下にある、請求項１記載の方法。
【請求項３】
recE遺伝子が、
（ａ）図７Ｂに記載の位置1320(ATG)から2159(GAC)までの核酸配列、
（ｂ）図１３Ｂに記載の位置1320(ATG)から1998(CGA)までの核酸配列、
（ｃ）遺伝コードの縮重範囲内にある、同ポリペプチドをコードする核酸配列、ならびに／または
（ｄ）（ａ）、（ｂ）および／もしくは（ｃ）の核酸配列とストリンジェント条件下でハイブリダイズする核酸配列を含む核酸分子から選択され、
かつ／あるいは、
recT遺伝子が、
（ｅ）図７Ｂに記載の位置2155(ATG)から2961(GAA)までの核酸配列、
（ｆ）図１３Ｂに記載の位置2086(ATG)から2868(GCA)までの核酸配列、
（ｇ）遺伝コードの縮重範囲内にある、同ポリペプチドをコードする核酸配列、ならびに／または
（ｈ）（ｅ）、（ｆ）および／もしくは（ｇ）の核酸配列とストリンジェント条件下でハイブリダイズする核酸配列を含む核酸分子から選択される、
請求項２記載の方法。
【請求項４】
大腸菌株がJC8679およびJC9604から選択される、請求項１記載の方法。
【請求項５】
recBCインヒビター遺伝子が、
（ａ）図１３Ｂに記載の位置3588(ATG)から4002(GTA)までの核酸配列、
（ｂ）遺伝コードの縮重範囲内にある、同ポリペプチドをコードする核酸配列、ならびに／または
（ｃ）（ａ）および／もしくは（ｂ）の核酸配列とストリンジェント条件下でハイブリダイズする核酸配列
を含む核酸分子から選択される、請求項４記載の方法。
【請求項６】
第２DNA分子が、２つの配列相同性領域の間に配置されたマーカー遺伝子を少なくとも１つ含有し、かつ、該マーカー遺伝子の発現によって相同組換えを検出する、請求項１〜５のいずれか１項に記載の方法。
【請求項７】
宿主細胞中で複製され得る環状第１DNA分子を該原核宿主細胞中に導入する工程、ならびに
該第１DNA分子上の第３および第４領域にそれぞれ配列相同な第１および第２領域を含む第２DNA分子を該原核宿主細胞中に導入する工程、
を含んでなる、組換えDNA分子を作製するための請求項１記載の方法であって、
該宿主細胞が、組換えDNA分子を形成するようにrecETに依存する機構を介した相同組換えを実行する能力を有し、かつ
該組換えDNA分子は、第３領域と第４領域との間の配列が第２DNA分子の第１領域と第２領域との間の配列と置換されている第１DNA分子を含み、第２DNA分子はさらなる改変を行うことなく組換えを可能とする形態で該宿主細胞中に導入されることを特徴とする、
上記方法。
【請求項８】
染色体上に第１DNA分子を含む原核宿主細胞中に、該宿主染色体上の第１DNA分子の第３および第４領域とそれぞれ配列相同な第１および第２領域を含む第２DNA分子を導入する工程を含んでなる、組換えDNA分子を作製するための請求項１記載の方法であって、
該宿主細胞が、組換えDNA分子を形成するようにrecETに依存する機構を介した相同組換えを実行する能力を有し、かつ
該組換えDNA分子は、第３領域と第４領域との間の配列が第２DNA分子の第１領域と第２領域との間の配列と置換されている染色体上の第１DNA分子を含み、第２DNA分子はさらなる改変を行うことなく組換えを可能とする形態で該宿主細胞中に導入されることを特徴とする、
上記方法。
【請求項９】
環状である第１DNA分子と、第１DNA分子上の領域と配列相同な領域を少なくとも２個含む第２DNA分子とを組換えること、および、該第２DNA分子は、さらなる改変を行うことなく組換えを可能とする形態で宿主細胞中に導入されることを特徴とする、recETに依存する機構を介する相同組換えを含むクローニング方法のための宿主細胞としての、recEおよびrecT遺伝子を発現する能力を有する原核細胞の使用。
【請求項１０】
環状である第１DNA分子と、第１DNA分子上の領域と配列相同な領域を少なくとも２個含む第２DNA分子とを組換えること、および、該第２DNA分子は、さらなる改変を行うことなく組換えを可能とする形態で宿主細胞中に導入されることを特徴とする、recETに依存する機構を介する相同組換えを含むクローニング方法のための、原核宿主細胞中での、recEおよびrecT遺伝子を発現する能力を有するベクター系の使用。
【請求項１１】
（ａ）recETに依存する機構を介して相同組換えを実行する能力を有する原核宿主細胞、
（ｂ）recEおよびrecT遺伝子を発現する能力を有するベクター系を含む該宿主細胞中でのrecEおよびrecT遺伝子の発現のための手段、ならびに
（ｃ）第１DNA分子上の領域と配列相同な領域を少なくとも２個含む第２DNA分子と組換えることができる環状第１DNA分子である、該細胞中で複製され得るレシピエントクローニングビヒクル、
を含む、クローニングのための試薬キット。
【請求項１２】
第１および第２DNA増幅プライマーをさらに含んでおり、第１DNA増幅プライマーが環状レシピエントクローニングビヒクル上の第３領域に配列相同な第１領域を含み、かつ、第２DNA増幅プライマーが環状レシピエントクローニングビヒクル上の第４領域に配列相同な第２領域を含む、請求項１１記載のクローニングのための試薬キット。
【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
複数のアームを備えている拡張可能な構造であって、該複数のアームの各自は互いに連結された遠位部分と互いに連結された近位部分とを備え、該拡張可能な構造は非展開状態において活約筋に導入され、そして少なくとも部分的に活約筋を拡張するのに十分なあらかじめ定めた形状および寸法を有する展開状態へ拡張するように構成されている拡張可能な構造と、そして
該拡張可能な構造へ連結されているエネルギー送達装置であって、該エネルギー送達装置の少なくとも一部は該拡張可能な構造から活約筋中へ制御可能に導入できるエネルギー送達装置、よりなる活約筋処置器具。
【請求項２】
該エネルギー送達装置へ連結されている温度センサーをさらに備えている、請求項１の器具。
【請求項３】
該エネルギー送達装置を冷却するための冷却液を指向する寸法および構成を有する少なくとも一つの開口が該拡張可能な構造上に配置されている、請求項１の器具。
【請求項４】
該拡張可能な構造へ連結されている可視化装置をさらに備えている、請求項１の器具。
【請求項５】
該エネルギー送達装置は活約筋中へ進めることができるように構成されている、請求項１の器具。
【請求項６】
該エネルギー送達装置はＲＦ（高周波）電極である、請求項１の器具。
【請求項７】
該拡張可能な構造によって区画された内部に配置された拡張可能な部材をさらに備えている、請求項１の器具。
【請求項８】
該拡張可能な部材はバルーンである、請求項７の器具。
【請求項９】
活約筋は下部食道活約筋である、請求項１の器具。
【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】  高温、高圧で高分子量有機物質を、１０ミクロンを超える巨大孔直径を有する巨大孔質構造物の形態の水素化金属またはその前駆体を含む触媒と接触させることを特徴とする高分子量有機物質の水素化方法。
【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
第１部材(１１，２１)および第２部材(１２，２２)ならびに連結手段(２３)からなる共振構造体を含み、上記第１部材および第２部材はその中間の連結部(１３)に対し逆位相で振動するように構成されており、上記連結手段(２３)は上記連結部を支持すると共にかなりな硬さを有しており、第２部材(１２，２２)は検出素子(１２)と、検出素子(１２)内に配された振動共振器(１４，２４)とを含み、よって、この共振器はこれを取り囲む媒体の干渉効果を受けないように構成したトランスデューサ。
【請求項２】
上記連結手段(２３)と組み合って２つの異なる領域を分離させる取付手段(１０)を含み、各領域は上記第１部材及び第２部材の一方を含む請求項１に記載のトランスデューサ。
【請求項３】
上記連結手段(２３)が、上記第１部材(１１，２１)よりかなり大きな硬さを有する請求項１または２に記載のトランスデューサ。
【請求項４】
上記連結手段が、上記取付手段(１０)から延びる金属製筒状部材からなる請求項２に記載のトランスデューサ。
【請求項５】
上記検出素子(１２)が中空のパドルあるいは筒状で、振動共振器がシャフト(２４)で検出素子に連結された慣性体(１４)からなる請求項１〜４のいずれかに１項に記載のトランスデューサ。
【請求項６】
第２部材(１２)の硬さ(Ｋ２)がシャフト(２４)の硬さ(Ｋ４)よりはるかに硬い請求項５に記載のトランスデューサ。
【手続補正書】
【提出日】平成16年5月19日(2004.5.19)
【手続補正１】
【補正対象書類名】明細書
【補正対象項目名】特許請求の範囲
【補正方法】変更
【補正の内容】
【特許請求の範囲】
【請求項１】  
木材害虫が木製構造物に接触することを防ぐためのバリアであって、
（ａ）内部に含まれる農薬と、
（ｂ）ポリマーマトリクスとを含み、
（ｃ）前記農薬の量は、ポリマー内で結合される量であって、前記量は、前記木材害虫が前記バリアを突破することを防止するのに有効な量であることを特徴とするバリア。
【請求項２】  
前記農薬は、ポリマーからほぼ放出されないことを特徴とする請求項１に記載のバリア。
【請求項３】  
前記農薬は、担体と組み合わせられて易壊性の結合混合物にし、前記ポリマーに加えられることを特徴とする上記請求項のいずれかに記載のバリア。
【請求項４】  
前記農薬は低揮発性の農薬であり、前記ポリマーは高または中密度であることを特徴とする上記請求項のいずれかに記載のバリア。
【請求項５】  
低密度ポリマーである別のポリマー内に、高揮発性の農薬である別の農薬を更に有することを特徴とする上記請求項のいずれかに記載のバリア。
【請求項６】  
前記低揮発性の農薬は、ラムダシハロトリン、ペルメトリン、及びこれらの混合物からなる属から選択されることを特徴とする請求項４に記載のバリア。
【請求項７】  
高または中密度の前記ポリマーは、ポリウレタン、高密度ポリエチレン、及びこれらの混合物からなる属から選択されることを特徴とする請求項４に記載のバリア。
【請求項８】  
前記農薬の量は、少なくとも１重量％であることを特徴とする上記請求項いずれかに記載のバリア。
【請求項９】  
前記農薬の量は、少なくとも５重量％であることを特徴とする請求項８に記載のバリア。
【請求項１０】  
前記担体は、カーボンブラック、活性炭、及びこれらの混合物からなる属から選択されることを特徴とする請求項３に記載のバリア。
【請求項１１】  
前記農薬は、イソフェンフォス、フェンバレレート、サイパーメトリン、ペルメトリン、ピレトリン、及びこれらの混合物からなる属から選択されることを特徴とする上記請求項のいずれかに記載のバリア。
【請求項１２】  
木材害虫が木製構造物に接触することを防ぐためのバリアを作成する方法であって、
（ａ）農薬の量を選択し、
（ｂ）前記量の農薬を、ポリマーマトリクス内で結合する工程を有し、
（ｃ）前記量は、前記木材害虫が前記バリアを突破することを防止するのに有効な量であることを特徴とする方法。
【請求項１３】  
前記農薬は、ポリマーからほぼ放出されないことを特徴とする請求項１２に記載の方法。
【請求項１４】  
前記結合工程は、
前記農薬を担体と混合して、易壊性の結合混合物にし、
当該易壊性の結合混合物をポリマーに加える
工程を有することを特徴とする請求項１２乃至１３のいずれかに記載の方法。
【請求項１５】  
前記農薬は低揮発性の農薬であり、前記ポリマーは高または中密度であることを特徴とする請求項１２乃至１４のいずれかに記載の方法。
【請求項１６】  
低密度ポリマーである別のポリマー内に、高揮発性の農薬である別の農薬を混ぜる工程を更に有することを特徴とする請求項１２乃至１５のいずれかに記載の方法。
【請求項１７】  
前記低揮発性の農薬は、ラムダシハロトリン、ペルメトリン、及びこれらの混合物からなる属から選択されることを特徴とする請求項１３に記載の方法。
【請求項１８】  
高または中密度の前記ポリマーは、ポリウレタン、高密度ポリエチレン、及びこれらの混合物からなる属から選択されることを特徴とする請求項１５に記載の方法。
【請求項１９】  
前記農薬の量は、少なくとも１重量％であることを特徴とする請求項１２乃至１８のいずれかに記載の方法。
【請求項２０】  
前記農薬の量は、少なくとも５重量％であることを特徴とする請求項１９に記載の方法。
【請求項２１】  
前記担体は、カーボンブラック、活性炭、及びこれらの混合物からなる属から選択されることを特徴とする請求項１４に記載の方法。
【請求項２２】  
前記農薬は、イソフェンフォス、フェンバレレート、サイパーメトリン、ペルメトリン、ピレトリン、及びこれらの混合物からなる属から選択されることを特徴とする請求項１２乃至２１のいずれかに記載の方法。
【請求項２３】  
害虫の侵入から領域または構造を長期に亘って保護するために、這う虫または土壌から媒介する昆虫の侵入に対抗するバリアを創出する方法であって、
（ａ）  外側表面を有し、高分子マトリクスと、前記マトリクス内に農薬とを有する制御放出バリアを保護しようとする領域または構造の入り口に設置し、
（ｂ）農薬が制御放出バリアの外側表面へ放出され、その表面で蓄積されるようにし、前記領域または前記構造を前記這う虫または土壌から媒介する昆虫の侵入から保護するために、農薬の放出率は、バリアの表面に接触した昆虫を忌避または殺虫するのに十分である、少なくとも１０μｇ／ｃｍ２／日であることを特徴とする方法。
【請求項２４】  
前記這う虫または土壌から媒介する昆虫は、昆虫、蛇、及びそれらの組み合わせからなるグループから選択されることを特徴とする請求項２３に記載の方法。
【請求項２５】  
前記高分子マトリクスは、シリコン、ＥＶＡ、ウレタン、ポリウレタン、アクリロニトリル、ブタジェン、アクリルゴム、イソプレン、スチレンビニルゴムからなるグループから選択されることを特徴とする請求項２３乃至２４のいずれかに記載の方法。
【請求項２６】  
前記高分子マトリクスは放出率を制御するための担体を更に含むことを特徴とする請求項２３乃至２５のいずれかに記載の方法。
【請求項２７】  
前記担体は、カーボンブラック、活性炭、アモルファスシリカ、及びこれらの混合物からなる属から選択されることを特徴とする請求項２６に記載の方法。
【請求項２８】  
前記制御放出デバイスは、シートまたはペレットの形状でであることを特徴とする請求項２３乃至２７のいずれかに記載の方法。
【請求項２９】  
前記担体の濃度は、前記バリアの全質量の約２％から約７％であることを特徴とする請求項２６に記載の方法。
【請求項３０】  
前記農薬の濃度は、前記バリアの全質量の約２％から約１５％であることを特徴とする請求項２３乃至２９のいずれかに記載の方法。
【請求項３１】  
前記農薬は、デルタメトリン、サイパーメトリン、ラムダシハロトリン、テフルトリン、ペルメトリン、及びこれらの混合物からなる属から選択されることを特徴とする請求項２３乃至３０のいずれかに記載の方法。
【手続補正２】
【補正対象書類名】明細書
【補正対象項目名】００１１
【補正方法】変更
【補正の内容】
【００１１】
カーダレリの方法の欠点は、マトリクスを溶解するために十分な湿気を必要とすることである。乾燥している間はマトリクスの寿命が延びるが、殺虫剤濃度が下がることになり、害虫の接触を許すことになる。また、マトリクスの寿命は一定ではなく、湿度によって変化する。
【手続補正書】
【提出日】平成16年11月12日(2004.11.12)
【手続補正１】
【補正対象書類名】明細書
【補正対象項目名】請求項３
【補正方法】変更
【補正の内容】
【請求項３】  １個のロール（１）上に、少なくとも二枚のシート状テープ（１０）が、
それらの頂部および底面の向きが等しい状態で巻回されることを特徴とする、請求項１または２記載の方法。
【手続補正２】
【補正対象書類名】明細書
【補正対象項目名】００１１
【補正方法】変更
【補正の内容】
【００１１】
使用される狭いロールは殆ど任意の形状をなしてよい。ロール幅は５〜４０ｍｍの間で良好な結果を得ることが出来る。コイルされた材料の長さは、動作がしばしば遮断されることを回避するためロール当たり少なくとも約２０ｍ、好適には５００ｍ以上になるべきである。前進中に二本以上のテープを一体化することが可能であり、また巻回または巻き戻しを同時に行うことが可能であるが、これらは、多数の層が巻回されつつあるとき問題がしばしば生じる。８層あるいはそれ以上のこのようなシート層からなるラミネートを制御された方法で巻き戻すことは不可能なことがわかっており、それは、外半径上に布設されたシートストリップのこれらのラミネート要素が内側のラミネート要素よりわずかに長いことによる。ロールを巻き戻すとき、４層以上のラミネート層の場合には、これはウエブの放散に導き、従って方法の中断に導く。
【手続補正３】
【補正対象書類名】明細書
【補正対象項目名】００１５
【補正方法】変更
【補正の内容】
【００１５】
個別に分離して投与可能な、複数個の個別のフィルム状投与フォームを、多層積層体（９）を形成しつつ、ディスペンサ中に導入する装置は、図１によれば、不定数の――層の個数に依存する――ロール（１ａ〜１ｈ）からなり、これらのロールには活性物質を含有するテープ（１０）が巻回される。
上記テープ（１０）は、巻き戻されるとき、異なる角度で水平方向に移動してロール（２）をガイドし、これらのロールの間を通過し、テープ（１０）は方法中に多層ストランド（８）に結合される。ストランド（８）は一対の搬送ロール（３）により把持され、切断装置（４）に引き出される。互いに正確なアラインメントで重ね合わされ、ディスペンサ（５）が予め、搬送装置（図略）により充填位置に自動的にもたらされた後準備完了して保持されるデイスペンシングコンテナ（５）中に充填された一つの多層積層体（９）が、輸送経路の端部に達した後、一度に切断装置（４）によりストランド（８）から切断される。方法中は、ディスペンサ（５）は少なくとも一つの積層体（９）がロードされる。材料に依存し、解決されるべきタスクに依存して、デイスペンシングコンテナ（５）はまた、引き続き複数個の積層体（９）をロードすることが出来る。
【手続補正書】
【提出日】平成16年8月9日(2004.8.9)
【手続補正１】
【補正対象書類名】特許請求の範囲
【補正対象項目名】全文
【補正方法】変更
【補正の内容】
【特許請求の範囲】
【請求項１】
１）ａ）少なくとも１つの入口及び少なくとも１つの出口を有する電極とｂ）支持体を支持する対電極との間の領域にコロナ放電を発生せしめ；そして
２）バランスガス及び作動ガス並びに、場合によっては、作動ガス用のキャリアガスの混合物を、支持体上に光学的に透明な堆積を形成するのに充分な流量及び割合で電極及びコロナ放電中に流す工程
を含んでなる支持体上へ光学的に透明な堆積を調製する方法。
【請求項２】
前記方法が連続法で且つ対電極が移動する支持体を支持する請求項１に記載の方法。
【請求項３】
前記対電極が回転ドラムであり、且つドラム若しくは電極又はドラムと電極の両方に誘電スリーブを装着する請求項１又は２のいずれか１項に記載の方法。
【請求項４】
前記作動ガスが有機シロキサンであり且つ前記バランスガスが空気、酸素、窒素、ヘリウム、アルゴン又はこれらの組合せである請求項１〜３のいずれか１項に記載の方法。
【請求項５】
前記電極の少なくとも１つの出口が複数の孔又はスリットであり；総ガスの流量が孔又はスリットを通過するバランスガスの速度が０．１ｍ／ｓ以上で且つ１０００ｍ／ｓ以下となるような流量であり；コロナ放電に入る作動ガスの濃度が、総ガス混合物に基づき、１ｐｐｍ以上で且つ２０００ｐｐｍ以下であり；且つ作動ガスがテトラメチルジシロキサン、ヘキサメチルジシロキサン、オクタメチルトリシロキサン、テトラエチルオルトシリケート又はこれらの組合せである請求項１〜４のいずれか１項に記載の方法。
【請求項６】
前記堆積が少なくとも９８％の光学的透明度及び２％以下の曇り価を有する被覆である請求項５に記載の方法。
【請求項７】
前記支持体が、プラズマ重合堆積後に、未処理支持体に比較して、増大した表面エネルギーを有する請求項５に記載の方法。
【請求項８】
前記堆積層が支持体を耐薬品性にする被覆を構成する請求項５に記載の方法。
【請求項９】
前記堆積層が、未処理支持体に比較して、増大した気体遮断性を有する被覆を構成する請求項５に記載の方法。
【請求項１０】
１）ａ）少なくとも１つの入口及び少なくとも１つの出口を有する電極とｂ）移動支持体を支持する対電極との間の領域にコロナ放電を発生せしめ；
２）支持体上にプラズマ重合被覆を形成するように、バランスガス及び作動ガス並びに、場合によっては、作動ガス用のキャリアガスの混合物を、電極及びコロナ放電中に流す工程を含んでなり、
前記総ガスが少なくとも１つの出口を通る速度が１０ｍ／ｓ以上２００ｍ／ｓ以下であるような流量を有し、総ガス混合物に基づく作動ガスの濃度が５ｐｐｍ以上２００ｐｐｍ以下であり、且つ光学的に透明な被覆が少なくとも９８％の光学的透明度及び２％以下の曇り価を有する、移動する支持体上へ光学的に透明な被覆を連続的に調製する方法。
【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
レタスの種、沈香、イネ、乳香、白朮及び菟絲子を含んで成り、各成分の重量比がレタスの種：沈香：イネ：乳香：白朮：菟絲子＝0.1〜1：2〜20：1〜5：0.1〜1：0.1〜1：0.1〜1である、骨折及び骨粗鬆症の予防及び治療に用いられる医薬組成物。
【請求項２】
レタスの種、沈香、イネ、乳香、白朮及び菟絲子の重量比がレタスの種：沈香：イネ：乳香：白朮：菟絲子＝ 0.5：5：2：0.5：0.25：0.5である、請求項１に記載の医薬組成物。
【請求項３】
沈香が樹脂状沈香である、請求項１又は２に記載の医薬組成物。
【請求項４】
乳香が樹脂状乳香である、請求項１又は２に記載の医薬組成物。
【請求項５】
公知の製剤技術に従って、医薬上容認されている賦形剤、担体又は希釈剤を用いて投与剤型に成形された、請求項１に記載の医薬組成物。
【請求項６】
錠剤、フィルム錠、硬カプセル、軟カプセル、顆粒剤、粉末剤、丸剤、液剤、乳剤、注射液、注射剤、軟膏、クリーム剤、噴霧剤又は吸入剤のいずれかの投与剤型に成形された、請求項５に記載の医薬組成物。
【請求項７】
下記工程：
（１）レタスの種、沈香、イネ、乳香、白朮及び菟絲子の抽出を行い、抽出物を得ること、
（２）有効量の該抽出物を、医薬上容認されている担体、賦形剤又は希釈剤と混合し、投与剤型に成形すること
を含んで成る、骨折及び骨粗鬆症の予防及び治療に用いられる医薬組成物の製造方法。
【請求項８】
レタスの種、沈香、イネ、乳香、白朮及び菟絲子の重量比がレタスの種：沈香：イネ：乳香：白朮：菟絲子＝0.1〜1：2〜20：1〜5：0.1〜1：0.1〜1：0.1〜1である、請求項７に記載の医薬組成物の製造方法。
【請求項９】
レタスの種、沈香、イネ、乳香、白朮及び菟絲子の重量比がレタスの種：沈香：イネ：乳香：白朮：菟絲子＝0.5：5：2：0.5：0.25：0.5である、請求項８に記載の医薬組成物の製造方法。
【請求項１０】
沈香が樹脂状沈香である、請求項８又は９に記載の医薬組成物の製造方法。
【請求項１１】
乳香が樹脂状乳香である、請求項８又は９に記載の医薬組成物の製造方法。
【請求項１２】
公知の製剤技術に従って、医薬上容認されている賦形剤、担体又は希釈剤を用いて投与剤型に成形する、請求項７に記載の医薬組成物の製造方法。
【請求項１３】
錠剤、フィルム錠、硬カプセル、軟カプセル、顆粒剤、粉末剤、丸剤、液剤、乳剤、注射液、注射剤、軟膏、クリーム剤、噴霧剤又は吸入剤のいずれかの投与剤型に成形する、請求１２に記載の医薬組成物の製造方法。
【手続補正書】
【提出日】平成16年5月17日(2004.5.17)
【手続補正１】
【補正対象書類名】明細書
【補正対象項目名】請求項２０
【補正方法】変更
【補正の内容】
【請求項２０】  固着手段が該マスクの外側の接着剤層を含む請求項１記載の方法。
【手続補正２】
【補正対象書類名】明細書
【補正対象項目名】００３４
【補正方法】変更
【補正の内容】
【００３４】
マスクの除去後で加熱前に、キャリア６０および硬い粒子７５を処理することは、特にもしキャリア６０が焼成しうるマトリックス材料のプリフォームであれば、図１０に示されるように、一対の対向する圧密手段でキャリアに粒子を送り出すことを含む。圧密ロールは硬い粒子７５をキャリア６０に送り出し、キャリアを変形させる。キャリア６０のもとの厚さ１１１は圧密もしくは変形のいくつかの条件下で変化され得、得られる厚さ１２０はもとの厚さ１１１よりも小さい。キャリア６０の幅（図には示されない）もこのような圧密下で変形しうる。
【手続補正３】
【補正対象書類名】明細書
【補正対象項目名】００５３
【補正方法】変更
【補正の内容】
【００５３】
図３〜１７は固形材料、たとえばプレート、箔もしくはテープとしてのキャリア６０を示すが、図１８はキャリア６０−２がメッシュもしくは細胞状材料でありうることを示す。図１８は研磨材料を製造する方法における段階に関して、図４に類似し、多数の硬い粒子７０−２、細胞状キャリアの開口１９０内の多数の硬い粒子７５−２、およびマスク５０−２上の多数の硬い粒子８０−２を示す。図１８も細胞状キャリア６０−２がさらなる材料すなわちキャリア２００によりマスク５０−２の反対側からシールされ、マスクにより覆われなかった開口１９０を通って硬い粒子が落下するのを妨げる。
【手続補正４】
【補正対象書類名】明細書
【補正対象項目名】００５６
【補正方法】変更
【補正の内容】
【００５６】
図２０は、硬い材料の充填および除去のプロセスにおいて、キャリアおよびマスクを密に一緒に保持するのに用いられうる、従来の保持手段を示す。その図は、キャリア６５０、細胞状キャリア−マスク６８０、分配マスク７００、および細胞状キャリアマスクの開口の硬い材料７２０、ならびに対向する荷重エレメント７６０および７４０を示す。荷重は、エレメント６５０、６８０および７００に対する圧力を与え、調節し、そしてそれらを一緒に保持するが、荷重エレメントの質量により、または追加の質量荷重もしくは機械的な力８００、たとえばＣクランプの要素に対する圧力の付加、電場等、により発生されうる。キャリアおよびマスクを一緒に保持するこの方法は、それらを分離し、そして最終研磨製品の一部を形成しない硬い粒子を除去する容易な方法を提供することがわかる。この保持の主役(principal)は、半自動もしくは全自動（すなわちロボットの利用）機械により容易になされうる。マスク７００およびキャリア−マスク６８０の除去後に、必要ならば、硬い粒子７２０がキャリア上に分布され、しかもキャリア中に送り出された、図１に示されるキャリア６０の構造を得る。
【手続補正５】
【補正対象書類名】図面
【補正対象項目名】図１
【補正方法】変更
【補正の内容】
【図１】
2003516871.tif 000001
【手続補正６】
【補正対象書類名】図面
【補正対象項目名】図６
【補正方法】変更
【補正の内容】
【図６】
2003516871.tif 000002
【手続補正７】
【補正対象書類名】図面
【補正対象項目名】図７
【補正方法】変更
【補正の内容】
【図７】
2003516871.tif 000003
【手続補正８】
【補正対象書類名】図面
【補正対象項目名】図８
【補正方法】変更
【補正の内容】
【図８】
2003516871.tif 000004
【手続補正９】
【補正対象書類名】図面
【補正対象項目名】図１０
【補正方法】変更
【補正の内容】
【図１０】
2003516871.tif 000005
【手続補正１０】
【補正対象書類名】図面
【補正対象項目名】図１７
【補正方法】変更
【補正の内容】
【図１７】
2003516871.tif 000006
【手続補正１１】
【補正対象書類名】図面
【補正対象項目名】図２１
【補正方法】変更
【補正の内容】
【図２１】
2003516871.tif 000007